(57)【要約】【課題】不正電波や不正電磁波を発信機で発信し、不正電波や不正電磁波によりスロットマシンに誤作動を生じさせる不正遊戯行為に対して、該不正電波や不正電磁波を除去し、スロットマシンの誤作動を防止し、不正遊戯行為を防止することを課題とする。【解決手段】スロットマシンの本体表面板に設けたスタート機構又は／及び遊戯を行うために必要なスイッチを本体内の遊戯制御回路に結線するための配線又は両者の間或いは遊戯制御回路の回路上に電波防止機を配設した不正電波又は不正電磁波の除去装置によって解決できる。【選択図】　　図４
2004135853.tif 000002
【特許請求の範囲】
【請求項１】
本体１表面板１１に少なくともゲームを開始するスタート機構２及び遊戯を行うために必要なスイッチ３を有するスロットマシンにおいて、
本体１表面板１１に設けたスタート機構２又は／及び遊戯を行うために必要なスイッチ３を本体１内の遊戯制御回路４に結線するための配線に電波防止機５を配設したことを特徴とする不正電波又は不正電磁波の除去装置。
【請求項２】
本体１表面板１１に少なくともゲームを開始するスタート機構２及び遊戯を行うために必要なスイッチ３を有するスロットマシンにおいて、
本体１表面板１１に設けたスタート機構２又は／及び遊戯を行うために必要なスイッチ３と本体１内の遊戯制御回路４との間に電波防止機５を配設したことを特徴とする不正電波又は不正電磁波の除去装置。
【請求項３】
本体１表面板１１に少なくともゲームを開始するスタート機構２及び遊戯を行うために必要なスイッチ３を有するスロットマシンにおいて、
本体１表面板１１に設けたスタート機構２又は／及び遊戯を行うために必要なスイッチ３に接続した遊戯制御回路４の回路上に電波防止機５を配設したことを特徴とする不正電波又は不正電磁波の除去装置。
【請求項４】
スタート機構２が本体表面板に設けられたスタートレバー２１であることを特徴とする請求項１乃至３のいずれかに記載の不正電波又は不正電磁波の除去装置。
【請求項５】
遊戯を行うために必要なスイッチ３がＭＡＸＢＥＴボタン３１であることを特徴とする請求項１乃至３のいずれかに記載の不正電波又は不正電磁波の除去装置。
【請求項６】
遊戯を行うために必要なスイッチ３がＢＥＴボタン３２であることを特徴とする請求項１乃至３のいずれかに記載の不正電波又は不正電磁波の除去装置。
【請求項７】
遊戯を行うために必要なスイッチ３がクレジット精算ボタン３３であることを特徴とする請求項１乃至３のいずれかに記載の不正電波又は不正電磁波の除去装置。
【請求項８】
電波防止機５がノイズフィルター５１であることを特徴とする請求項１乃至７のいずれかに記載の不正電波又は不正電磁波の除去装置。
【請求項９】
電波防止機５が焼成強磁性体を有する減衰器５２であることを特徴とする請求項１乃至７のいずれかに記載の不正電波又は不正電磁波の除去装置。
【請求項１０】
電波防止機５が異なるパルス幅からなる不正電波又は不正電磁波を減衰する減衰器５３であることを特徴とする請求項１乃至７のいずれかに記載の不正電波又は不正電磁波の除去装置。
【請求項１１】
電波防止機５が着脱自在に取り付けられたものであることを特徴とする請求項１乃至１０のいずれかに記載の不正電波又は不正電磁波の除去装置。
【請求項１２】
電波防止機５と、不正電波又は不正電磁波を検知する検知器６と、発光器７とを有し、前記検知器６により不正電波又は不正電磁波を検知した場合に発光器７を発光させ不正電波又は不正電磁波の存在を明示可能としたことを特徴とする請求項１乃至１１のいずれかに記載の不正電波又は不正電磁波の除去装置。
【発明の詳細な説明】
【０００１】
【発明の属する技術分野】
本発明はスロットマシン（遊戯娯楽機）に、不正電波や不正電磁波を発信する発信機を用いて不正電波や不正電磁波を照射して動作不良に基づく不正動作を引き起こし、不正に大当たりを引き出すいわゆるゴト師の不正電波や不正電磁波を除去し、動作不良を防ぐ不正電波又は不正電磁波の除去装置に関する。
【０００２】
【従来の技術】
従来より、スロットマシン（遊戯娯楽機）に動作不良を引き起こし、不正に大当たりを引き出すいわゆるゴト師の手口としては、例えばスロットマシンに装着されている遊戯制御用の読み出し専用のメモリを動作不良を引き起す不正に書き替えた別の読み出し専用のメモリであるいわゆる裏ロムに秘密裏に取り替えて動作不良を引き起こし不正動作に基づく大当たりを引き出す方法や、機械内部或いは外部の配線、基板、電源等に手を加えて動作不良を引き起こし不正動作に基づく大当たりを引き出す方法或いは、不正電波や不正電磁波を発信する発信機を用い、スロットマシン（遊戯娯楽機）に近付いて不正電波や不正電磁波を照射し、この不正電波や不正電磁波により動作不良を引き起こさせて不正動作を導き、大当たりを引き出す方法等が用いられている。
これらの不正行為に関しては、徒に射幸心を煽ることとなるばかりでなく、不正行為により景品を不当に得ることとなり、正当な遊戯を根底から覆してしまうものである。
【０００３】
【発明が解決しようとする課題】
従ってスロットマシンホール等の各遊戯場にて監視を行い、不正行為の防止を図っているものである。
即ち、スロットマシンホール等の各遊戯場にて挙動不審の人物を監視し、不正行為自体を発見した上でこれらの行為を中止させているものである。
まず、動作不良を引き起す不正に書き替えた別の読み出し専用のメモリであるいわゆる裏ロムや配線等に手を加える方法に関しては、この裏ロムの取り替えや配線等に手を加える行為自体を監視すると共にスロットマシン自体の読み出し専用のメモリ、配線等をこまめに検査し、不正な行為を排除している。
これに対して、いわゆる体に不正電波や不正電磁波を発信する発信機を取付け、その表面を衣服等で覆い、遊戯中に該発信機から不正電波や不正電磁波を発信する手口を用いると、外観上不正な遊戯行為を行っているか否かの見極めが難しく、挙動不審者の発見が遅くなることがある。
【０００４】
又、煙草やライター等の小物に不正電波や不正電磁波を発信する発信機を取り付けて、不正遊戯を行う場合にも外観上不正な遊戯行為を行っているか否かの見極めが難しく、挙動不審者の発見が遅くなることがある。
これらの場合スロットマシンホール等の各遊戯場において不正電波や不正電磁波を発信を受信し、不正電波や不正電磁波の存在を確認可能な検知器を用いて、不正電波や不正電磁波の発信を確認し、その近辺での挙動不審者を重点的に監視し、不正行為を防止する方法もとられている。
これらは、全て不正遊戯行為を防止する上では効果があるが、現実に不正行為を行った場合に、その後に挙動不審者を特定し、更に不正行為を防止させることが必要となる。
【０００５】
従って、不正遊戯行為により現実に不正電波や不正電磁波を照射して動作不良に基づく不正動作を引き起こし、不正に大当たりを引き出すなどが起こった後にその行為を防止できるものであり、スロットマシンの不正動作が起こった後にその行為の継続を差し止めることとなってしまう。
この事は逆にスロットマシンホール等の各遊戯場における監視状況によって、発見される前に各遊戯場を退去するなどのことにより、これらの不正行為の継続がなされてしまう恐れもある。
以上のことより、不正電波や不正電磁波を発信する発信機を用いた場合に対して、スロットマシンが誤作動を生じさせない何らかの方策が望まれていた。
【０００６】
【課題を解決するための手段】
本発明は上記課題を解決して、不正電波や不正電磁波を発信する発信機を用いた場合に対して、スロットマシンが誤作動を生じさせない不正電波又は不正電磁波の除去装置を発明したものである。
係るため請求項１に係る発明は、本体表面板に少なくともゲームを開始するスタート機構及び遊戯を行うために必要なスイッチを有するスロットマシンにおいて、本体表面板に設けたスタート機構又は／及び遊戯を行うために必要なスイッチを本体内の遊戯制御回路に結線するための配線に電波防止機を配設した不正電波又は不正電磁波の除去装置であり、係る発明によって解決できる。
或いは請求項２に係る発明のように本体表面板に少なくともゲームを開始するスタート機構及び遊戯を行うために必要なスイッチを有するスロットマシンにおいて、本体表面板に設けたスタート機構又は／及び遊戯を行うために必要なスイッチと本体内の遊戯制御回路との間に電波防止機を配設した不正電波又は不正電磁波の除去装置によっても解決できる。
【０００７】
更には請求項３に係る発明のように本体表面板に少なくともゲームを開始するスタート機構及び遊戯を行うために必要なスイッチを有するスロットマシンにおいて、本体表面板に設けたスタート機構又は／及び遊戯を行うために必要なスイッチに接続した遊戯制御回路の回路上に電波防止機を配設した不正電波又は不正電磁波の除去装置であっても同様である。
これらによって遊戯制御回路上では不正電波又は不正電磁波による影響を受けることがなくなり誤作動を防止できる。
これらの場合請求項４に係る発明のようにスタート機構が本体表面板に設けられたスタートレバーである不正電波又は不正電磁波の除去装置によってスタートレバーと遊戯制御回路との間に侵入した不正電波又は不正電磁波を除去できる。或いは請求項５に係る発明のように遊戯を行うために必要なスイッチがＭＡＸＢＥＴボタンである不正電波又は不正電磁波の除去装置によっても同様に遊戯制御回路との間に侵入した不正電波又は不正電磁波を除去できる。
【０００８】
更には請求項６に係る発明のように遊戯を行うために必要なスイッチがＢＥＴボタンである不正電波又は不正電磁波の除去装置、請求項７に係る発明のようにこれがクレジット精算ボタンである不正電波又は不正電磁波の除去装置であるそれぞれの発明によっても同様に遊戯制御回路との間に侵入した不正電波又は不正電磁波を除去できる。
次に請求項８に係る発明のように電波防止機がノイズフィルターである不正電波又は不正電磁波の除去装置によっても不正な高周波や低周波等を有効に不正電波又は不正電磁波を除去できる。
或いは請求項９に係る発明のように電波防止機が焼成強磁性体を有する減衰器である不正電波又は不正電磁波の除去装置であってもよい。
又は請求項１０に係る発明のように電波防止機が異なるパルス幅からなる不正電波又は不正電磁波を減衰する減衰器である不正電波又は不正電磁波の除去装置によっても不正なパルス信号の同調等による誤作動を防止できる。
【０００９】
尚、請求項１１に係る発明のように電波防止機が着脱自在に取り付けられたものである不正電波又は不正電磁波の除去装置によってもスロットマシンへの装着を容易とし、既存設備の有効活用を可能とする。
この他、請求項１２に係る発明のように電波防止機と、不正電波又は不正電磁波を検知する検知器と、発光器とを有し、前記検知器により不正電波又は不正電磁波を検知した場合に発光器を発光させ不正電波又は不正電磁波の存在を明示可能とした不正電波又は不正電磁波の除去装置によって不正遊戯行為の発生を速やかに知ることができ、更には不正遊戯のスロットマシンの特定及び不正遊戯者の特定ができ、補正遊戯の防止の確実化が図れる。
【００１０】
【発明の実施の形態】
図１は、スロットマシン１の外観の一例を示す図である。
スロットマシンの本体１表面板１１には、コイン収納口１１０、ＢＥＴボタン３２、ＭＡＸＢＥＴボタン３１、スタートレバー２１、左回転リールストップボタン３４、中回転リールストップボタン３５、右回転リールストップボタン３６、クレジット精算ボタン３３等のゲームを開始するスタート機構２及び遊戯を行うために必要なスイッチ３が設置されており、これらの各スイッチ類等を操作することによってスロットマシン（遊戯娯楽機）を作動させて遊戯するものである。
従って、これらのスイッチ類はスロットマシン内部の中央処理演算装置Ｃを有する遊戯制御回路４と連接接続しており、遊戯者がスロットマシンの本体１表面板１１の各スイッチ類により本スロットマシン（遊戯娯楽機）が可動することとなる。
【００１１】
例えばスロットマシンの本体１表面板１１に設けられたコイン収納口１１０よりコインを入れ、このコインの収納を検知し、複数枚のコインの収納を可能とした上で、これらのコインで当該遊戯を開始するための必要なコインを用いることを選択するスロットマシンの本体１表面板１１に設けられたＢＥＴボタン３２を用いて、遊戯開始の設定準備をなし、更には一度に複数枚のコインを一の遊戯に用いる場合にＢＥＴボタン３２を複数押す代わりとして最大数のコインを用いることを選別するスロットマシンの本体１表面板１１に設けられたＭＡＸＢＥＴボタン３１を用いることができるものである。
従って、コイン収納口１１０よりのコインの収納を検知し、これを中央処理演算装置Ｃを有する遊戯制御回路４類に送り、更にＢＥＴボタン３２、ＭＡＸＢＥＴボタン３１等の操作を検知し、これを中央処理演算装置Ｃを有する遊戯制御回路４類に送り、種々所定の処理がなされるものである。
【００１２】
更に、この後、スロットマシンの本体１表面板１１に設けられたスタートレバー２１を操作し、スロットマシン（遊戯娯楽機）の表面に視認できる左回転リール、中回転リール、右回転リールを回転させる。
従ってスタートレバー２１を操作することにより、この状態を検知し、これを中央処理演算装置Ｃを有する遊戯制御回路４類に送り、これに基づいて左回転リール、中回転リール、右回転リールを回転させる処理がなされる。
この場合各回転リールには複数の絵柄がそれぞれ施されている。
次にスロットマシンの本体１表面板１１に設けられた左回転リールストップボタン３４、中回転リールストップボタン３５、右回転リールストップボタン３６を操作して、回転状態の左回転リール、中回転リール、右回転リールの回転を停止させ、各リールの表面部分に表示された絵柄の一致又は組み合わせで入賞を競うものである。
【００１３】
従って、左回転リールストップボタン３４、中回転リールストップボタン３５、右回転リールストップボタン３６の操作を検知し、これを中央処理演算装置Ｃを有する遊戯制御回路４類に送り、これにより各回転リールの停止処理を行なうこととなる。
更に、停止した各リールの表面部分に表示された絵柄の一致又は組み合わせの状態を検知し、これに基づいて入賞したか否かを検知し、更に入賞した場合には入賞状態を生じさせるものである。
又、やり直しを行なうためのリプレイに関しても同様に遊戯開始の設定準備をなすものであり、このリプレイ状態を検知し、更にこれを中央処理演算装置Ｃを有する遊戯制御回路４類に送られるものである。
【００１４】
以上のように遊戯者の操作のためにスロットマシンの本体１表面板１１には、コイン収納口１１０、ＢＥＴボタン３２、ＭＡＸＢＥＴボタン３１、スタートレバー２１、左回転リールストップボタン３４、中回転リールストップボタン３５、右回転リールストップボタン３６、クレジット精算ボタン３３等のゲームを開始するスタート機構２及び遊戯を行うために必要なスイッチ３が設置されており、これらは本体１内部の中央処理演算装置Ｃを有する遊戯制御回路４類に連接されているものである。
このことは、操作者に極めて近い位置に遊戯制御回路４類に連接する回路又は配線があることとなり、例えば不正電波や不正電磁波を発信する発信機をこれらの操作部位に近付けて不正電波や不正電磁波を発信すると、効率的に不正電波や不正電磁波を中央処理演算装置を有する遊戯制御回路類に送れてしまう。
【００１５】
従って、例えばいわゆる体に不正電波や不正電磁波を発信する発信機を取付け、その表面を衣服等で覆い、遊戯中に該発信機から不正電波や不正電磁波を発信することとすると発信機を手等に配設した場合には、外見からは正常な操作行為をしているようにしか見えず、不正行為の発見がしにくいこととなってしまう。又、手元近くに各操作部位があることから、煙草やライター等の小物に不正電波や不正電磁波を発信する発信機を取り付け、これらを手で持った状態で操作部位に近付けても外観上不正な遊戯行為を行っているか否かの見極めが難しく、挙動不審者の発見が遅くなる。
以上のことより、何らかの対策が必要となる。
【００１６】
次に図２は、スロットマシンの本体１表面板１１を開いた状態を示す図であり、本図に示すようにスロットマシンの本体１表面板１１の表面のスタート機構２及び遊戯を行うために必要なスイッチ３と、スロットマシン内部の中央処理演算装置Ｃを有する遊戯制御回路４とを連接するコネクター部１２０を有している。このスロットマシン内部の中央処理演算装置Ｃを有する遊戯制御回路４は、一般的にスロットマシンの本体１中板１２に配設されており、これらの遊戯制御回路４とを連接結線するものである。
尚、スロットマシン内部の奥部には各回転リール及びこれらのモータやコイン収納部等を有する。
以上のようにスロットマシンはそのスロットマシンの本体１表面板１１の各操作部位近傍から不正電波や不正電磁波を発信する発信機から不正電波や不正電磁波を照射された場合には、この不正電波や不正電磁波は遊戯制御回路４にまで侵入し誤作動を生じさせてしまう。
【００１７】
従って、スロットマシンの本体１表面板１１の各操作部位とスロットマシンの本体１中板１２の中央処理演算装置Ｃを有する遊戯制御回路４との間又は外部表出操作部２、３と連接する遊戯制御回路４上に照射された不正電波や不正電磁波を除去する電波防止機５を配設することにより、最も照射されやすい外部に表出している操作部２、３から侵入する不正電波や不正電磁波を遊戯制御回路４上に流さず、誤作動を防止できることとなる。
図３は、各種スイッチ類２、３と遊戯制御回路４及び中央処理演算装置Ｃとの電気的な関係の一例を示す図である。
スタートレバー２１、ＭＡＸＢＥＴボタン３１、ＢＥＴボタン３２、クレジット精算ボタン３３、左回転リールストップボタン３４、中回転リールストップボタン３５、右回転リールストップボタン３６等はスイッチ回路に連接しており、左回転リール、中回転リール、右回転リールの各駆動モーターは、モータ駆動回路に連接されており、遊戯ランプ、ゲームオーバーランプ、リプレイランプ、スタートランプ等はランプ回路に連接されており、更にクレジット表示部、ゲーム回数表示部、払い出し数表示部はＬＥＤ回路に連設している。
【００１８】
更にスイッチ回路、モータ駆動回路、ランプ回路、ＬＥＤ回路は、それぞれＩ／Ｏポートを介して遊戯制御回路４に連接し、更には中央処理演算装置Ｃに連接している。
従って、このような回路構成の場合には、各種スイッチ類２、３とスイッチ回路間に設けたものであってもよく、或いはスイッチ回路上に設けたものであっても、スイッチ回路とＩ／Ｏポート間、或いはＩ／Ｏポート上、更にはＩ／Ｏポートと遊戯制御回路４間等に電波防止機５を配設したものであればよい。
或いは遊戯制御回路４上に設けたものであってもよい。
図４は、本電波防止機５としてノイズフィルター５１を用いた一例を示すものであり、一例としてＭＡＸＢＥＴボタン３１の配線及びスタートレバー２１の配線上に電波防止機５であるノイズフィルター５１を配設した状態を示す図である。
【００１９】
これにより、ＭＡＸＢＥＴボタン３１及びスタートレバー２１近傍に照射され、ＭＡＸＢＥＴボタン３１及びスタートレバー２１と遊戯制御回路４上に流れる信号中に侵入した不正電波や不正電磁波をここで除去できる。
この他、例えばＢＥＴボタン３２やクレジット精算ボタン３３等の配線上に用いたものであってもよい。
これらにおいても遊戯者の操作を行うためにスロットマシンの本体１表面板１１にそのスイッチ類２、３が設けられており、このスイッチ類２、３と内部の遊戯制御回路４等とを導通していることから、これらのスイッチ類２、３に向けて照射された不正電波や不正電磁波により誤作動を生じてしまうが、これらの間にノイズフィルター５１を設けることにより、高周波や低周波等からなる信号中に侵入した不正電波や不正電磁波を除去できるものである。
【００２０】
以上のようにノイズフィルター５１を用いることにより、高周波や低周波等からなる不正電波や不正電磁波を除去できるものであり、特に尖波の除去が可能となり、尖波による誤作動を防止できる。
尚、ノイズフィルター５１は一般に用いられるノイズフィルターであればよく、不正電波や不正電磁波により生じた高周波や低周波等をカットするものであればよい。
この他、特に不正電波や不正電磁波に対応した高周波や低周波等をカットするノイズフィルター５１を用いるものであってもよい。
或いは焼成強磁性体を有する減衰器５２や永久磁石等を用いたものでもよい。この他、不正なパルス幅を有する不正電波や不正電磁波を照射し、パルス幅を同調させて誤作動を生じさせる不正電波や不正電磁波の照射に対して、不正なパルス幅を有する不正電波や不正電磁波を除去可能な電波防止機５であってもよい。
【００２１】
例えば電波防止機が異なるパルス幅からなる不正電波又は不正電磁波を減衰する減衰器５３を用いたものであってもよい。
尚、本図に示すものは、電波防止機５をスタート機構２、遊戯を行うために必要なスイッチ３即ち各種スイッチ類２、３を本体１内の遊戯制御回路４に結線するための配線上に配設したものであるが、これに限らず、例えば結線状態での導通を行っておらず回路上において行う場合等、或いは他の方法による場合においては、これらの各種スイッチ類２、３と遊戯制御回路４との間に電波防止機５を配設するものであってもよい。
又、この他遊戯制御回路４上に電波防止機５を配設するものであってもよい。尚、現在多用されているスロットマシンにおいては、スロットマシンの本体１表面板１１のスイッチ類２、３は、コネクター１２０等を介して結線により内部の遊戯制御回路４と導通している機種が多く、本図に示すように結線上に電波防止機５を配設可能とすることにより、極めて簡単に取り付ける事ができると共に現在機種の改良等は行わずともたり、極めて効率的に配設できる。
【００２２】
更に、本電波防止機５の取り付けの確認も容易であり、不正遊戯者による不正遊戯を効率的に防止できる
図５は、図４に示すノイズフイルター５１を示す図である。
略円筒形状の基体５１０の内部に焼成強磁性体５１１を内設し、更に略円筒形状の基体の中央部に円筒形状の貫通孔５１２を有するものである。
この円筒形状の貫通孔５１２には配線が嵌入する。
従って、配線上に本ノイズフイルター５１を位置させ、焼成強磁性体５１１で覆うこととなる。
尚、この略円筒形状の基体５１０の側辺部分は、貫通孔５１２に添って切り離し可能となっており、この部分から開くことができるとともに更にはこの開いた部分を閉じた上で係止部５１３により係止可能となっており、略円筒形状の基体５１０の形状を維持できる。
【００２３】
図６は、図５に示すノイズフィルター５１の略円筒形状の基体５１０の側辺部分から貫通孔５１２に添って開いた状態を示す図であり、その内部に焼成強磁性体５１１を有する。
従って、この状態で配線に装着可能であり、更に開いた部分を閉じた上で、側辺部分の係止部５１３により、閉じた状態を維持できる。
更にはこの係止部５１３を外すことにより、更に基体５１０を開くことができ、配線から取り外すこともできる。
従って、本電波防止機５の着脱を可能とし、必要に応じて取り付けることができるとともに取り外すこともできる。
次に、以上に示す状態は、本電波防止機５により不正電波や不正電磁波を除去する機構を示すが、例えばこの本電波防止機５に不正電波又は不正電磁波を検知する検知器６を併せ有し、不正電波又は不正電磁波を検知した場合は更にこれに連接する発光器７、例えば発光ダイオード７１に信号を送り、発光ダイオード７１を点灯させるものであってもよい。
【００２４】
発光ダイオード７１に代えてランプを点灯させるものであってももちろんよく、少なくとも不正電波又は不正電磁波の存在を発光器７の発光によって知らせることのできるものであればよい。
この検知器６は電波防止機５に不正電波や不正電磁波の存在を検知する検知器６を併せ有するものであるばかりでなく、電波防止機５よりもスイッチ２、３側に検知器６を配設し、不正電波や不正電磁波の存在を検知するものであってもよい。
更には電波防止機５により不正電波や不正電磁波を主回路に流さずに他の発光器７が連接した回路上に流し、この不正電波や不正電磁波により発光ダイオード等を発光させるものであってももちろんよい。
【００２５】
【発明の効果】
１、本発明に係る不正電波又は不正電磁波の除去装置により、外部から照射された不正電波又は不正電磁波を遊戯制御回路迄の間に又は遊戯制御回路上において除去し、スロットマシン（遊戯娯楽機）の不正電波又は不正電磁波による誤作動を防止でき、誤作動による不正作動に基づく不正遊戯を防止できるという第一の効果を有する。
従って、不正電波又は不正電磁波による現実のスロットマシン（遊戯娯楽機）の誤作動による不正遊戯を確認した上で不正遊戯者の遊戯を差し止めるまでもなく、誤作動自体を防止し不正作動を起こさずに不正な遊戯行為自体を未然に防ぐことができるものである。
２、本発明にかかる不正電波又は不正電磁波の除去装置は、特に本体表面板に設けたスタート機構又は／及び遊戯を行うために必要なスイッチと、遊戯制御回路迄の間に又は遊戯制御回路上に設置するものであり、不正遊戯者が不正電波又は不正電磁波を照射した場合に最も影響を受ける回路上に設置するものであることから、不正遊戯者の発信機を用いた不正電波又は不正電磁波を有効に除去できるという第二の効果を有する。
【００２６】
３、本発明にかかる不正電波又は不正電磁波の除去装置の電波防止機としてノイズフィルターや焼成強磁性体を有する減衰器を用いることにより不正電波又は不正電磁波の尖波を除去でき、尖波に基づく誤作動等を防止できるという第三の効果を有する。
４、更に電波防止機として異なるパルス幅からなる不正電波又は不正電磁波を減衰する減衰器を用いた場合には、スロットマシン（遊戯娯楽機）の信号のパルス幅を不正電波又は不正電磁波の異なるパルス幅に同調することを防止でき、誤作動を防ぐ事ができるという第四の効果を有する。
５、又、これらの電波防止機を着脱自在に装着可能とすることにより、現在使われている機種に簡単に取り付けることができるという第五の効果を有する。
６、尚、不正電波又は不正電磁波を検知する検知器と発光器とを有することにより、不正電波又は不正電磁波を検知できると共に更に不正電波又は不正電磁波の発生を発光器により速やかに認知することができるという第六の効果を有する。
【図面の簡単な説明】
【図１】スロットマシン（遊戯娯楽機）の一例を示す図
【図２】図１に示すスロットマシン（遊戯娯楽機）の本体表面板を開いた状態を示す図
【図３】各種スイッチ類と遊戯制御回路及び中央処理演算装置との電気的な関係の一例を示す図
【図４】本発明に係る不正電波又は不正電磁波の除去装置、即ち本電波防止機としてノイズフィルターを用いた一例を示す図
【図５】図４に示すノイズフイルターを示す図
【図６】図５に示すノイズフィルターの略円筒形状の基体の側辺部分から貫通口に添って開いた状態を示す図
【符号の説明】
１　　本体
１１　　表面板
１１０　　コイン収納口
１２　　中板
１２０　　コネクター
２　　スタート機構
２１　　スタートレバー
３　　スイッチ
３１　　ＭＡＸＢＥＴボタン
３２　　ＢＥＴボタン
３３　　クレジット精算ボタン
３４　　左回転リールストップボタン
３５　　中回転リールストップボタン
３６　　右回転リールストップボタン
４　　遊戯制御回路
５　　電波防止機
５１　　ノイズフィルター
５１０　　基体
５１１　　焼成強磁性体
５１２　　貫通孔
５１３　　係止部
５２　　焼成強磁性体を有する減衰器
５３　　減衰器
６　　検知器
７　　発光器
【図１】
2004135853.tif 000003
【図２】
2004135853.tif 000004
【図３】
2004135853.tif 000005
【図４】
2004135853.tif 000006
【図５】
2004135853.tif 000007
【図６】
2004135853.tif 000008